(57)【特許請求の範囲】
【請求項１】
清掃ヘッドに清掃シートを取着して用いる清掃具であって、
前記清掃ヘッドは、液溜まり部と、該液溜まり部に供給された液剤を圧力の作用によって多数の微細流路を通過させつつ前記清掃ヘッドの清掃面に徐々に放出させる、前記液溜まり部とは別部材の液徐放部とからなる液徐放機構を備えており、
前記液徐放部は、前記清掃ヘッドの清掃面に臨むようにして、少なくとも一方向から見た前記清掃ヘッドの幅の略全幅に亘って設けられており、
前記液溜まり部は、ほぼ前記液徐放部に対応する長さと幅をもって、前記清掃ヘッドの幅全体に亘って連続して設けられており、
前記液溜まり部の内部には、これの天端部の内側から下方に突出して、その先端を液徐放部の天面部に当接させる液徐放部位置保持手段が設けられている清掃具。
【請求項２】
前記液徐放部は、略Ｔ字形断面形状を有する請求項１記載の清掃具。
【請求項３】
前記ヘッド本体の内部には、下面側に向けて開口する装着用凹嵌部が設けられており、該装着用凹嵌部には、これの下方から、前記液溜まり部を上方に配置しつつ前記液徐放機構が挿入される請求項１又は２記載の清掃具。
【請求項４】
前記液徐放部は前記清掃ヘッドの清掃面に臨むようにして帯状に設けられている請求項１〜３のいずれか１項記載の清掃具。
【請求項５】
前記液徐放部は連続して設けられている請求項４記載の清掃具。
【請求項６】
前記清掃ヘッドの清掃面は略矩形形状を備えており、前記液徐放部は、前記清掃面の長辺に平行又は略平行に延設して設けられている請求項１〜５のいずれか１項記載の清掃具。
【請求項７】
前記清掃ヘッドに柄が連結されており、該柄は、液供給パイプを介して前記液溜まり部と連通するタンク部を備えており、該タンク部には、収容された前記液剤の静水面に圧力を負荷する加圧手段が設けられている請求項１〜６のいずれか１項記載の清掃具。
【請求項８】
前記加圧手段は、前記タンク部と連通する中空内部を備えると共に、外気からの空気の流入を許容し、外気への空気の流出を遮断する機能を有する逆止弁と中空弾性体からなり、該中空弾性体を圧縮変形させることにより、前記液剤の静水面に圧力を負荷する請求項７記載の清掃具。
【請求項９】
前記タンク部と前記液溜まり部とを連通する前記液供給パイプに、開閉バルブが取り付けられている請求項７又は８記載の清掃具。
【発明の詳細な説明】
【技術分野】
【０００１】
本発明は、清掃シートを取着して用いる清掃ヘッドを備えた清掃具に関する。
【背景技術】
【０００２】
清掃ヘッドの清掃クッション部に例えば液体洗浄剤やワックス等の液剤を供給して、当該清掃クッション部や清掃クッション部に取着した清掃シートを湿った状態とすることにより、床面等の被清掃面の清掃や仕上げを効率良く行えるようにした清掃具が種々提案されている（例えば、特許文献１、特許文献２、特許文献３参照）。
【０００３】
ここで、特許文献１の清掃具は、清掃ヘッドに液剤を密封収容したボトルを設け、ボトルに圧力を加えることにより、吐出バルブを介して塗布用パッド（清掃クッション部）に液剤を供給して、液剤を床面等の被清掃面に塗布するものである。また、特許文献２の清掃具は、清掃ヘッドに清掃液貯留容器を設け、清掃液貯留容器に圧力を加えることにより、清掃液貯留容器から清掃ヘッドに取着した清掃シートに液剤を供給して、清掃シートを湿潤状態にするものである。さらに、特許文献３の清掃具は、箱体（清掃ヘッド）に洗浄液を収容したカートリッジが取り付けられており、柄に設けたポンプからの圧力によって、カートリッジに配設したノズルを介して清掃ヘッドの表面に洗浄液を供給するものである。
【先行技術文献】
【特許文献】
【０００４】
【特許文献１】特開２０００−７０２０５号公報
【特許文献２】特表２００５−５２８９４１号公報
【特許文献３】特開２０００−２０１８７７号公報
【発明の概要】
【発明が解決しようとする課題】
【０００５】
しかしながら、清掃クッション部や清掃シートを湿った状態として床面等の被清掃面の清掃や仕上げを行うようにした上記従来の清掃具では、いずれも、清掃ヘッドに設置したボトル、清掃液貯留容器、又はカートリッジに、人力によって直接圧力を負荷して、複数の小孔状のノズル部から液剤を吐出させるものである。このため、例えば圧力を負荷した直後は多量の液剤が小孔状のノズル部を介して被清掃面に塗布されるが、その後に再び圧力を負荷するまでの間に、徐々に塗布される液剤が少なくなること等により、塗布量にバラツキが生じやすくなって、液剤を安定した状態で略均等に被清掃面に塗布することが困難になる。また、小孔状のノズル部を介して液剤が吐出されることから、ノズル部の付近の清掃シートに液剤が偏在しやすく、結果として液剤が被清掃面において偏って存在することとなり、そのまま放置すると、液剤の塗りムラ等が生じて清掃の仕上がりが悪くなる場合があった。
【０００６】
そこで、清掃作業者がこのような偏在を認識したときは、ヘッドを左右に繰り返し広範囲に動かして液剤を薄く広く延ばすなどして対応しており、清掃作業の効率が低下する原因となっていた。また、清掃作業者がこのような清掃シートに吐出された液剤の偏在に気がつかず清掃作業を終了してしまうと、結果として清掃の仕上がりが悪くなることがあった。
【０００７】
一方、本願発明者らは、液剤を収用するタンク部を清掃ヘッドの上方に設けると共に、被圧流体を多数の微細流路を通過させつつ徐々に放出させる徐放機能を備える液徐放部を清掃ヘッドに設け、タンク部に収容された液剤の水頭差によって常時負荷される静水圧を利用して、人力による圧力を加えなくても、液徐放部から液剤を安定した状態で略均等に徐放させつつ被清掃面に塗布できるようにした清掃具を開発している。
【０００８】
このような清掃具では、例えばタンク部から液徐放部への液剤の供給を停止して、清掃作業を一旦終了した後に再び清掃作業を行う場合や、清掃作業を長時間行った場合等、何等かの要因によって、液剤を略均等に塗布させることが困難になる場合がある。したがって、液剤を液徐放部の全体で略均等に徐放させる状態に容易に復元できるようにするための新たな技術の開発が望まれている。また、清掃作業によっては、液徐放部から一時的により多くの液剤を放出させたい場合もある。
【０００９】
本発明は、液剤を被清掃面へ略均等に塗布する操作を容易にして、清掃作業の効率の向上や清掃の仕上がりの向上に寄与することのできる清掃具を提供することを課題とする。
また、本発明は、液徐放部の液剤放出に不均等（不均一さ、偏り）が生じても、液徐放部の全体で略均等に液剤を徐放させる状態に容易に復元できると共に、必要に応じて液徐放部から一時的に多くの液剤を放出させることのできる清掃具を提供することを課題とする。
【課題を解決するための手段】
【００１０】
本発明は、清掃ヘッドに清掃シートを取着して用いる清掃具であって、前記清掃ヘッドは、液溜まり部と、該液溜まり部に供給された液剤を圧力の作用によって多数の微細流路を通過させつつ前記清掃ヘッドの清掃面に徐々に放出させる液徐放部とからなる液徐放機構を備えており、前記液徐放部は、前記清掃ヘッドの清掃面に臨むようにして、少なくとも一方向から見た前記清掃ヘッドの幅の略全幅に亘って連続して設けられている清掃具を提供することで、上記課題を解決する。
【００１１】
ここで、圧力とは、ポンプなどの加圧手段により、液剤に直接間接に圧力が加えられる場合のみならず、放出部より上方に液剤を設置することによって生じる、いわゆる静水圧も含む。
また、少なくとも一方向から見た清掃ヘッドの幅の略全幅に亘って液徐放部が設けられているとは、好ましくは清掃作業を行う際に清掃ヘッドが動かされる主たる方向と対向する方向から清掃ヘッドを見た際に、清掃ヘッドの両端を除いたこれの幅方向の略全幅に亘って液徐放部が連続していることを意味する。また液徐放部は、当該少なくとも一方向から見た際に幅方向に連続してれば良く、他の方向から見た際に断続した状態で設けられていても良い。さらに、液徐放部は、例えば当該少なくとも一方向と垂直な方向から見た際にも、清掃ヘッドの幅方向の略全幅に亘って液徐放部が連続して設けられていることが好ましい。例えば、清掃ヘッドの清掃面となる底面が略矩形形状を備えている場合に、短辺方向から見た際に長辺方向の略全幅に亘って液徐放部が連続していることに加えて、長辺方向から見た際にも短辺方向の略全幅に亘って液徐放部が連続していることが好ましい。
【発明の効果】
【００１２】
本発明の清掃具によれば、液剤を被清掃面へ略均等に塗布する操作を容易にして、清掃作業の効率の向上や清掃の仕上がりの向上に寄与することができる。
また、清掃ヘッドに連結する柄に、液供給パイプを介して液溜まり部と連通するタンク部を設けておき、このタンク部には、収容された液剤の静水面に圧力を負荷する加圧手段を設けておけば、液徐放部の液剤放出に不均等（不均一さ、偏り）が生じても、液徐放部の全体で略均等に液剤を徐放させる状態に容易に復元できると共に、必要に応じて液徐放部から一時的に多くの液剤を放出させることができる。
【図面の簡単な説明】
【００１３】
【図１】本発明の好ましい一実施形態に係る清掃具の斜視図である。
【図２】中空弾性体を備える蓋部材の、（ａ）はタンク部の上端開口を閉塞した状態の斜視図、（ｂ）はタンク部の上端開口を開放した状態の斜視図である。
【図３】清掃ヘッドの構成を説明する斜視図である。
【図４】カートリッジタイプの液徐放機構の清掃ヘッドへの取り付け状況を説明する断面図である。
【図５】カートリッジタイプの液徐放機構の構成を説明する、（ａ）は部分破断側面図、（ｂ）は（ａ）のＡ−Ａに沿った断面図である。
【図６】清掃ヘッドの構成を説明する、（ａ）は正面図、（ｂ）は底面図である。
【図７】液徐放部の下端面を清掃ヘッドの底面から突出させることなく設けた状態を説明する略示断面図である。
【図８】（ａ）〜（ｆ）は、液徐放部を清掃ヘッドの幅の略全幅に亘って設けた他の形態を例示する略示底面図である。
【発明を実施するための形態】
【００１４】
図１に示す本発明の好ましい一実施形態に係る清掃具１０は、清掃ヘッド１１に着脱交換可能に取着される使い捨て用の清掃シート（図示せず。）を液体洗浄剤やワックス等の液剤によって湿らせた状態で、例えば床面を被清掃面として清掃作業や仕上げ作業を行う際に用いられる。また、本実施形態の清掃具１０は、清掃ヘッド１１の上方に位置して、柄１２の上部に液剤を収容するタンク部１３が設けられている。このタンク部１３から液供給パイプ２１を介して清掃ヘッド１１に設けられた液徐放機構１６（図３、図４参照）に液剤を供給することにより、静水圧を利用して液徐放機構１６から液剤を放出させて清掃作業や仕上げ作業を行うことができるようになっている。そして、本実施形態の清掃具１０は、例えば液徐放機構１６の液徐放部１５に液剤放出の不均等（不均一さ、偏り）が生じた場合でも、液徐放部１５の全体で略均等に液剤を徐放させる状態に容易に復元させることのできる機能を備えている。
【００１５】
また、本実施形態では、図４及び図６（ａ），（ｂ）に示すように、液徐放部１５は、清掃ヘッド１１の長手方向の略全幅に亘って連続して設けられていて、液剤を被清掃面へ略均等に塗布する操作を容易にする機能を備えている。
【００１６】
すなわち、本実施形態の清掃具１０は、清掃ヘッド１１と柄１２とからなり、清掃ヘッド１１に清掃シート（図示せず。）を取着して用いる清掃具であって、図３〜図６にも示すように、清掃ヘッド１１は、液溜まり部１４と、液溜まり部１４に供給された液剤を上方からの静水圧の作用によって多数の微細流路を通過させつつ、清掃ヘッド１１の清掃クッション１７による底面（清掃面）１７ａに徐々に放出させる液徐放部１５とからなる液徐放機構１６（図５参照）を備えており、液徐放部１５は、清掃ヘッド１１の清掃面となる底面１７ａに臨むようにして、少なくとも一方向（本実施形態では短手方向Ｘ）から見た清掃ヘッド１１の幅の略全幅に亘って連続して設けられている。
【００１７】
また、本実施形態では、柄１２は、液供給パイプ２１を介して液溜まり部１４と連通するタンク部１３を備えており、タンク部１３には、収容された液剤の静水面に圧力を負荷する加圧手段２２が設けられている。そして、タンク部１３より液徐放部１５を経て液剤が清掃面となる清掃ヘッド１１の底面１７ａを覆う清掃シートへと供給されるようになっている。
【００１８】
さらに、本実施形態では、加圧手段２２は、タンク部１３と連通する中空内部を備えると共に、外気からの空気の流入を許容し、外気への空気の流出を遮断する機能を有する逆止弁（図示せず。）と中空弾性体からなり（図２（ａ），（ｂ）参照）、この中空弾性体２２を圧縮変形させることにより、液剤の静水面に圧力を負荷するようになっている。
【００１９】
本実施形態では、清掃ヘッド１１と柄１２は、公知のユニバーサルジョイント１８を介して連結されている。これによって、柄１２は、清掃ヘッド１１に対してその向きを垂直面に沿った前後方向に変えるだけでなく、前後左右の４方向へ変えることができると共に、３６０°のいずれの方向に対しても回動でき、しかも清掃ヘッド１１のヘッド角を調整できるようなっている。
【００２０】
清掃ヘッド１１は、図３に示すように、略矩形平面形状を備えるように成形された合成樹脂製のヘッド本体１９の下面側に、底面１７ａが平坦な略矩形平面形状の弾性面となった清掃クッション１７を装着して形成される。ヘッド本体１９の上面部の中央部分には、ユニバーサルジョイント１８を介して柄１２が連結しており、清掃時に柄１２からの押圧力を受けて、清掃クッション１７の底面１７ａは、清掃シートを介在させつつ被清掃面に適度に押し付けられた状態で接触する。
【００２１】
また、ヘッド本体１９の上面部には、ジグザグ状のスリット２０ａが形成された柔軟な弾性材料からなる公知のシート保持部２０が、当該上面部の周縁部分に配置されて４箇所に設けられている。例えば下面側の清掃クッション部１７を覆うようにして清掃シート（図示せず。）を清掃ヘッド１１に巻き付けた後に、清掃シートの端縁部を、スリット２０ａを介してシート保持部２０に押し込むことにより、清掃シートが清掃ヘッド１１に着脱交換可能に容易に取着される。
【００２２】
さらに、ヘッド本体１９の上面部には、ユニバーサルジョイント１８に隣接して、後述する装着用凹嵌部２５の中央部と対応する位置に、パイプ挿通スリーブ２６が上方に突出して設けられている。このパイプ挿通スリーブ２６には、液供給パイプ２１の下端部が挿通されて、後述する液徐放機構１６のパイプ装着部２４に装着される。
【００２３】
そして、ヘッド本体１９の内部には、図４に示すように、液溜まり部１４と液徐放部１５とからなる液徐放機構１６が設けられている。本実施形態では、液徐放機構１６は、着脱交換可能なカートリッジタイプの部材からなる。液徐放機構１６は、図５（ａ），（ｂ）に示すように、系着蓋１４ａによって両端が閉塞されると共に、下面開口の両側縁部に内側に折れ曲がった係止リブ１４ｂが各々設けられた、略倒立Ｕ字形の断面形状を有する管状のタンク部分である合成樹脂製の液溜まり部１４と、略Ｔ字形の断面形状を有する、例えば樹脂焼結体、フェルト、連泡スポンジ、パルプ、不織布、ゴム等の多孔質素材からなる液徐放部１５とによって構成される。図５（ａ）から明らかなように、液溜まり部１４は、ほぼ液徐放部１５に対応する長さと幅をもって、液徐放部１５と同様に、清掃ヘッド１１の幅の略全域に亘って連続して設けられている。そして、液溜まり部１４が液徐放部１５の全長に亘ってその裏側（底面とは反対側）に存在し、後述するように、液溜まり部１４に供給された液剤が液溜まり部１４から液徐放部１５の全体に効率よく供給される。
【００２４】
ここで、液徐放機構１６の液徐放部１５は、タンク部１３から液溜まり部１４に供給された液剤を上方からの静水圧の作用によって通過させる際に、例えば多孔質素材による多数の微細流路による表面張力によって、液剤の通過速度を抑制し、液剤を滲み出させるようにして全体から略均等に吐出させる機能、すなわち液剤を徐放する機能を備えている。このような機能を効果的に発揮できるように、液剤の放出量は０．０１〜０．５g/secが好ましく、０．０２〜０．４g/secが更に好ましく、０．０４〜０．３g/secが特に好ましい。液剤放出量は、多孔質素材との界面張力や粘度といった液剤の物性や、細孔径の大きさや空隙率といった多孔質素材の状態を適宜選択することで調整できる。液剤の多孔質素材における透液度を適宜選定したり、液剤の静水圧や液剤放出面積を適宜最適に設計する事でも濡れ掃除に要求される放出量を適宜調整する事が出来る。多孔質素材を空気の透し易さの指標となる透気度を目安として選択する場合は、０．５〜２００μm/(Pa・sec)のものを用いるのが好ましく、１．０〜１００のものが更に好ましく、１．０〜５０のものが特に好ましい。
【００２５】
液徐放部１５は、略Ｔ字形の断面形状の天面部１５ａを、係止リブ１４ｂに支持させて液収容部１４の内部に配置すると共に、略Ｔ字形の断面形状の脚部１５ｂを、両側の係止リブ１４ｂの間のスリット状の開口から下方に突出させた状態で、液溜まり部１４に一体として取り付けられる。これによって、カートリッジタイプの液徐放機構１６は、側面から見た形状が帯板形状を有するように形成される。
【００２６】
本実施形態では、液溜まり部１４は、例えば０．５〜２ｃｃ程度の容量を有しており、これの中央部分から上方に突出して、パイプ装着部２４が設けられている。このパイプ装着部２４には、液供給パイプ２１の下端部が液密な状態で着脱可能に装着される。液溜まり部１４は、タンク部１３から、液供給パイプ２１及びパイプ装着部２４を介して液徐放機構１６に局所的に供給される液剤を、当該液溜まり部１４による貯留領域の全体に拡げて貯留することにより、いわゆるバッファ機能を発揮して、液徐放部１５の天面部１５ａの全体に亘って上方から均等な静水圧が負荷されるようにする。
【００２７】
また、液溜まり部１４の内部には、これの天端部の内側から下方に突出して、サポートリブ１４ｃが、液溜まり部１４の軸方向に間隔をおいて複数設けられている。サポートリブ１４ｃは、その先端を液徐放部１５の天面部１５ａの上面に当接させ、清掃時に清掃ヘッド１１に負荷される押圧力によって、被清掃面からの反力で液徐放部１５が上方に移動して液溜まり部１４の内部に過度に押し込まれるのを防止する液徐放部位置保持手段として機能する。なお、サポートリブ１４ｃに代えて液溜まり部１４の軸方向に延在する段差を設けて液徐放部位置保持手段としても良い。
【００２８】
そして、本実施形態では、液溜まり部１４と液徐放部１５とからなる液徐放機構１６は、図４に示すように、ヘッド本体１９の内部に着脱交換可能に取り付けられる。すなわち、本実施形態では、ヘッド本体１９の内部には、例えばユニバーサルジョイント１８と、ヘッド本体１９の一方の長辺に沿った部分の一対のシート保持部２０との間において、清掃ヘッド１１の長手方向Ｙと略平行に配置されて、ヘッド本体１９の下面側に向けて開口する装着用凹嵌部２５が設けられている（図３参照）。例えばパイプ装着部２４に液供給パイプ２１の下端部を装着した状態で、装着用凹嵌部２５の下方から、液溜まり部１４を上方に配置しつつカートリッジタイプの液徐放機構１６を嵌め込むようにして挿入し、例えば装着用凹嵌部２５の両端部分に設けた系着凹部２３に、液溜まり部１４の両端の系着蓋１４ａの部分を各々嵌めた状態で、バネ等の付勢手段を介して進退可能な系着突起２７を系着蓋１４ａの一端に係着することにより、液徐放機構１６をヘッド本体１９の内部に容易に取り付けることができる。
【００２９】
図６（ａ），（ｂ）に示すように、ヘッド本体１９の下面を覆って清掃クッション１７が装着されている。清掃クッション１７には、ヘッド本体１９の装着用凹嵌部２５と対応する位置に、液徐放機構１６と同程度の幅を有するスリット溝２８が開口形成されている。液徐放機構１６は、このスリット溝２８に、例えば清掃ヘッド１１の清掃クッション１７による底面１７ａの側から差し込まれる。これによって、液徐放機構１６の液徐放部１５の脚部１５ｂの下端面１５ｃは、清掃ヘッド１１の清掃面となる底面１７ａに臨むようにして、当該底面１７ａと面一又は略面一になるように配置されて帯状に設けられることになる。また、液徐放部１５の脚部１５ｂの下端面１５ｃは、略矩形平面形状を備える清掃ヘッド１１の長辺と平行になるように直線状に連続して配置されることになる。さらに、液徐放部１５の脚部１５ｂの下端面１５ｃは、清掃時の清掃ヘッド１１への押圧力によって、清掃クッション部１７の底面１７ａと共に清掃シートを介して被清掃面に接触することになる。
【００３０】
ここで、本実施形態では、清掃ヘッド１１の清掃面１７ａに臨む液徐放部１５の下端面１５ｃの幅は、略矩形平面形状を備える清掃ヘッド１１の短辺の長さの１０分の一程度としたが、この幅は液剤の分配量や清掃作業時の清掃ヘッド１１の設計移動速度等に応じて適宜定めることができる。液徐放部１５の長さは、清掃ヘッド１１の長辺の長さにできるだけ近い方が塗布作業の際にヘッドを左右に動かす必要が少なくなり好ましいが、本実施形態では、着脱機構の制約などから約３０ｍｍ短くなっている。
【００３１】
また、液徐放部１５の下端面１５ｃは、無荷重の状態でのクッション部１７の清掃面１７ａからの突出高さｓが例えば０ｍｍよりも大きく、且つ２ｍｍよりも小さい僅かな突出高で、クッション部１７の底面１７ａから下方に出してある。液徐放部１５の下端１５ｃが僅かな突出高さでクッション部１７の清掃面１７ａから下方に出ていることにより、清掃ヘッド１１への押圧力によって液徐放部１５から徐放される液剤の量を調整することが可能になる。一方、清掃ヘッド１１への押圧力が負荷されても、液徐放部１５の下端１５ｃの周囲には清掃クッション部１７が存在するので、液徐放部１５が潰れすぎることなく、適度な量の液剤の徐放が可能になる。
【００３２】
さらに、液徐放部１５の下端面１５ｃは、図７に示すように、無荷重の状態でクッション部１７の清掃面１７ａから突出させることなく、例えば２ｍｍを超えない深さｓ’でクッション部１７の清掃面１７ａから凹んだ状態で設けることもできる。液徐放部１５の下端面１５ｃがクッション部１７の清掃面１７ａから突出していない場合でも、液剤は、液徐放部１５から放出されて滴下する前に表面張力等によって清掃ヘッド１１の底面を覆う清掃シートに移行して、当該清掃シートに広がることになる。また、清掃ヘッド１１への押圧力によってクッション部１７が押圧変形することにより、液徐放部１５の下端面１５ｃは清掃シートを介して被清掃面と接触することになる。
清掃ヘッド１１を弾性を備える部材で構成し、液徐放部１５を焼結金属などの弾性を実質的に有しないか、清掃ヘッド１１より弾性変形しにくい部材で構成する場合は、液徐放部１５の下端面１５ｃを清掃面１７ａから凹んだ状態で設けることが好ましい。
【００３３】
ユニバーサルジョイント１８を介して清掃ヘッド１１に連結される柄１２は、図１に示すように、例えば合成樹脂製のパイプ部材からなり、清掃具１０を用いて立った状態で清掃作業を行うのに適した、例えば５０〜１２０ｃｍ程度の長さを有している。また柄１２の上部には、把持部の一部を構成するようにして、円筒形状のタンク部１３が設けられている。さらに、柄１２の中空内部には、タンク部１３と、清掃ヘッド１１に設けられた上述の液徐放機構１６の液溜まり部１４とを連通する液供給パイプ２１が配設されている。なお、シールを施すことで、柄１２自体を液の供給管として用いることも可能である。
【００３４】
タンク部１３は、好ましくは透明な合成樹脂を用いて円筒形状に形成されており、柄１２の上部に当該柄１２と一体として取り付けられる。タンク部１３は、例えば２０〜１００ｃｃ程度の内容量を有しており、図２（ａ），（ｂ）に示すように、これの上端開口を開閉可能に覆って取り付けられた、加圧手段としての中空弾性体２２を一体として備える蓋部材２９を開閉することにより、液体洗浄剤やワックス等の液剤を適宜補充することができるようになっている。
【００３５】
蓋部材２９は、弾性を有するゴム材料からなり、固定スリーブ部３０と、固定スリーブ部３０に対して回動可能にヒンジ連結される蓋本体部３１とによって構成される。固定スリーブ部３０は、タンク部１３の外径と同じか僅かに小さな内径を有するスカート状の部分であって、弾性変形させつつタンク部１３の上端部分の外周面に沿って装着することにより、当該上端部分に気密な状態で固定される。
【００３６】
蓋本体部３１は、ヒンジ部３２を支点として固定スリーブ部３０に対して回動することにより、基盤部３５に形成した嵌合凸部３３を固定スリーブ部３０の上面開口に気密に嵌め込んで閉塞した状態（図２（ａ）参照）と、基盤部３５を開いて固定スリーブ部３０の上面開口を開放した状態（図２（ｂ）参照）とを、容易に切り替えることができるようになっている。また、蓋本体部３１には、係止爪３４が設けられている。この係止爪３４を弾性変形させつつ固定スリーブ部３０の係止突起３８に係止固定することにより、蓋本体部３１によってタンク部１３の上端開口（固定スリーブ部３０の上面開口）を気密に閉塞した状態を強固に保持することができる。さらに、係止爪３４の開放操作部３４ａを押圧することにより係止突起３８への係止状態を解除して、タンク部１３の上端開口を容易に開放できるようになっている。
【００３７】
本実施形態では、蓋本体部３１は、加圧手段としての中空弾性体２２を構成する部分である。蓋本体部３１は、円盤形状の基盤部３５と、基盤部３５の上面側に球状に膨出して一体として形成された球体部３６とからなる。基盤部３５は、ヒンジ部３２を介して固定スリーブ部３０と回動可能に連結されると共に、下面側から下方に突出して上述の嵌合凸部３３が設けられている。基盤部３５には、外気から中空弾性体２２の内部に空気が流入するのを許容すると共に、中空弾性体２２の内部から外気へ空気が流出するのを遮断する機能を有する公知の逆止弁（図示せず。）が設けられている。また、基盤部３５の中央を貫通して、中空弾性体２２の中空内部とタンク部１３とを連通する通気流路３７が設けられていると共に、通気流路３７に、公知の逆止弁（図示せず。）が設けられ、中空弾性体２２よりタンク部１３への空気の流通を許容し、タンク部１３より中空弾性体２２への空気や液の戻りを遮断している。
【００３８】
これらによって、蓋本体部３１による中空弾性体２２は、例えば球体部３６を挟み込むように押圧して圧縮変形させ、内部の空気を通気流路３７を介してタンク部１３に向けて押し出すことにより、タンク部１３に収容された液剤の静水面に圧力を負荷する機能を備える。また、球体部３６の押圧を解除すれば、球体部３６はその弾性によって、逆止弁を介して内部に空気を取り込みながら元の形状に復帰する。
【００３９】
タンク部１３と清掃ヘッド１１の液徐放機構１６とを連通する液供給パイプ２１は、例えば可撓性を有する合成樹脂製のチューブ材料からなる。液供給パイプ２１は、その上端が柄１２の内部においてタンク部１３に連結されると共に、柄１２の内部に配設されて下方に延設した後、柄１２の下端部に開口形成された導出穴３９を介して柄１２の外側に導出される（図１参照）。また、柄１２の外側に導出された液供給パイプ２１の下端部は、ヘッド本体１９の上面部に設けたパイプ挿通スリーブ２６を介して、ヘッド本体１９の内部に挿入され、公知の各種の取付け治具を用いて液徐放機構１６のパイプ装着部２４に液密な状態で装着される。
【００４０】
さらに、液供給パイプ２１には、タンク部１３から液徐放機構１６の液溜まり部１４への液剤の供給を行い又は停止する開閉バルブ（図示せず。）が、柄１２の内部に配置されて設けられている。開閉バルブは、例えば柄１２の外側に設けられた開閉レバー４０（図１参照）からの操作によって容易に開閉させることができる。開閉バルブの開閉操作によって、例えば清掃具１０の使用時における、タンク部１３と液溜まり部１４とを連通させて液溜まり部１４に静水圧を負荷しつつ液剤を供給可能な状態と、例えば清掃具１０の非使用時における、タンク部１３と液溜まり部１４との連通を遮断して液溜まり部１４に静水圧が負荷されないようにすると共に、液剤の供給をストップした状態とを、容易に切り替えることができるようになっている。
【００４１】
上述の構成を備える本実施形態の清掃具１０では、清掃作業や仕上げ作業を行う際には、清掃クッション部１７の底面１７ａを覆うようにして清掃シートを清掃ヘッド１１に取り付け、開閉バルブを開放して、液徐放機構１６の液溜まり部１４に静水圧を負荷すると共に、タンク部１３から液溜まり部１４に液剤が常時供給可能な状態とする。これによって、清掃シートには、液徐放機構１６の液徐放部１５の全体から、液剤が略均等に徐々に供給されることになり、清掃シートは適度な湿潤状態を保持して、床面等の被清掃面に液剤を略均等に塗布しつつ清掃作業や仕上げ作業を安定した状態で効率良く行うことが可能になる。
【００４２】
一方、本実施形態の清掃具１０では、例えばタンク部１３から液徐放機構１６への液剤の供給を停止して、清掃作業を一旦終了した後に再び清掃作業を行う場合や、清掃作業を長時間行った場合等に、液剤の乾燥や埃の付着等の何等かの要因によって、例えば多孔質素材からなる液徐放部１５の一部又は全体に目詰りが生じ、あるいは液溜り部１４に大気の滞留が生じて、液剤を略均等に塗布させることが困難になるおそれがある。また、清掃作業によっては、液徐放機構１６から一時的により多くの液剤を放出させたい場合もある。これに対して、本実施形態の清掃具１０では、タンク部１３に収容された液剤の静水面に圧力を負荷する加圧手段として、中空弾性体２２が設けられているので、液徐放部１５に目詰りが生じ、あるいは液溜り部１４に大気の滞留が生じても、液徐放機構１６の全体で略均等に液剤を徐放させる状態に容易に復元させることが可能になる。また必要に応じて液徐放部から一時的に多くの液剤を放出させることも可能になる。
【００４３】
すなわち、本実施形態によれば、例えば多孔質素材からなる液徐放部１５に目詰りが生じ、あるいは液溜り部１４に大気の滞留が生じて、液剤を略均等に塗布することができなくなったら、中空弾性体２２の球体部３６を押圧して圧縮変形させれば、タンク部１３に収容された液剤の静水面には相当の圧力が負荷されるので、この静水面に負荷された圧力が液溜まり部１４へ伝達されて、多孔質素材からなる液徐放部１５を通過する液剤の液圧を増大することになる。この増大した液圧によって、液徐放部１５の目詰りや液溜り部１４での大気の滞留を容易に解消させることが可能になる。また、一時的に多くの液剤を放出させる際も、中空弾性体２２の球体部３６を押圧して圧縮変形させれば、多孔質素材からなる液徐放部１５を通過する液剤の液圧が増大するので、この増大した液圧によって、より多くの液剤を液徐放部１５から吐出させることが可能になる。
【００４４】
また、本実施形態の清掃具１０によれば、液徐放部１５は、清掃ヘッド１１の清掃面となる底面１７ａに臨むようにして、略矩形平面形状を備える清掃ヘッド１１の短辺（短手）方向Ｘ（図３参照）から、即ち図の矢印Ｘ’方向から見た清掃ヘッド１１の幅の略全幅に亘って連続して設けられている。したがって、清掃作業を行う際に清掃ヘッド１１が動かされる主たる方向となる清掃ヘッド１１の短手方向Ｘに清掃ヘッド１１を動かせば、液溜まり部１４を介して液徐放部１５の天面部１５ａの全体に亘って上方から略均等な静水圧が負荷された状態で、液剤が、液徐放部１５の下端面１５ｃから清掃ヘッド１１の長手方向Ｙの略全幅に亘って偏在することなく略均等に清掃シートに供給されることになり、これによって液剤を被清掃面へ略均等に塗布する操作を容易にして、清掃作業の効率の向上や清掃の仕上がりの向上に効果的に寄与することが可能になる。
液徐放部１５を清掃ヘッド１１から着脱可能としたことで、液徐放部１５が汚れたときの交換あるいは洗浄を容易に行うことができ、液徐放部１５を連続して設けたことでさらに容易に着脱することができる。
【００４５】
なお、本発明は上記実施形態に限定されることなく種々の変更が可能である。例えば、液溜まり部と液徐放部とからなる液徐放機構は、清掃ヘッドに着脱交換可能なカートリッジタイプの部材である必要は必ずしもなく、清掃ヘッドに一体として組み込まれているものであっても良い。液徐放部のみを着脱交換可能に構成しても良い。タンク部に収容された液剤の静水面に圧力を負荷する加圧手段は、圧縮変形可能な中空弾性体である必要は必ずしもなく、例えばタンク部の内周面に沿って摺動可能に設けられたピストン部材等であっても良い。さらに、タンク部は、柄の把持部の一部として取り付ける必要は必ずしもなく、例えば柄の側部に別部材として設けることもできる。
【００４６】
また、液剤は、静水圧によって液徐放部に送られるものの他、ポンプなどの加圧手段により、液剤に直接間接に圧力が加えられるものであっても良い。清掃具は、清掃ヘッドに柄を連結することなく清掃ヘッドを直接把持して清掃作業を行うものであっても良い。清掃ヘッドの底面は、略矩形形状を備えている必要は必ずしも無く、例えば長円形状等、清掃作業に適したその他の種々の形状を備えていても良い。
【００４７】
さらに、清掃ヘッドの底面に臨むようにして設けられる液徐放部を、少なくとも一方向から見た清掃ヘッドの幅の略全幅に亘って設ける形態としては、例えば図８（ａ）〜（ｆ）に示すような種々のものを例示することができ、このうち、帯状に連続するものとして、（ａ）、（ｃ）、（ｄ）、（e）を挙げることができる。
【符号の説明】
【００４８】
１０  清掃具
１１  清掃ヘッド
１２  柄
１３  タンク部
１４  液溜まり部
１５  液徐放部
１６  液徐放機構
１７  清掃クッション
１７ａ  清掃クッション部の底面（清掃ヘッドの底面、清掃面）
１８  ユニバーサルジョイント
１９  ヘッド本体
２０  シート保持部
２１  液供給パイプ
２２  中空弾性体（加圧手段）
２４  パイプ装着部
２５  装着用凹嵌部
２６  パイプ挿通スリーブ
２８  スリット溝
２９  蓋部材
３０  蓋部材の固定スリーブ部
３１  蓋部材の蓋本体部
３２  ヒンジ部
３５  基盤部
３６  球体部
３７  通気流路
３９  導出穴
４０  開閉レバー
【図１】
0005427926.tif 000002
【図２】
0005427926.tif 000003
【図３】
0005427926.tif 000004
【図４】
0005427926.tif 000005
【図５】
0005427926.tif 000006
【図６】
0005427926.tif 000007
【図７】
0005427926.tif 000008
【図８】
0005427926.tif 000009